(57)【特許請求の範囲】
【請求項１】
外面シートと透液性の内面シートおよび両シート間に介在する吸収体を有する積層体の平面部どうしが対面する袋体が形成され、この袋体の上端にぺニスの挿入口が開口し、袋体の底部が閉じられており、
一方の前記平面部には、前記挿入口から底部に向けて切り込まれた切込み線が形成されて、この切込み線の両側に位置する前記積層体の一部が重ね合わせ部とされ、前記重ね合わせ部では、前記切込み線の両側および前記切込み線の底部側の終端よりもさらに底部側に、前記吸収体を除去しあるいは前記吸収体の量を部分的に少なくした薄片が設けられ、前記薄片の両側では、前記吸収体が設けられて前記薄片よりも厚く形成されており、
他方の前記平面部には、前記底部方向へ延びる薄肉部が形成されており、
両側の重ね合わせ部の吸収体を有する部分どうしを重ねて、前記挿入口の開口径を縮小させ、前記重ね合わせ部どうしを接合する掛止手段が設けられており、前記重ね合わせ部が互いに重ね合わされたときに、他方の前記平面部が前記薄肉部で曲がってぺニスを包む形状に膨らみ変形可能とされていることを特徴とする男性用尿パッド。
【請求項２】
内側に重ねられる重ね合わせ部に設けられた前記薄片の面積よりも、外側に重ねられる重ね合わせ部に設けられた前記薄片の面積の方が大きい請求項１記載の男性用尿パッド。
【請求項３】
前記薄片は、その幅寸法が、前記挿入口に向かって徐々に広がっている請求項１または２記載の男性用尿パッド。
【請求項４】
前記切込み線の底部側の終端よりもさらに底部側では、前記薄片が少なくとも外側に重ねられる重ね合わせ部側に設けられている請求項１ないし３のいずれかに記載の男性用尿パッド。
【請求項５】
前記袋体の挿入口には、前記切込み線と対向する部分に、弾性体が設けられている請求項１ないし４のいずれかに記載の男性用尿パッド。
【発明の詳細な説明】
【０００１】
【発明の属する技術分野】
本発明は、尿を吸収する吸収体を有してペニスを包む袋体形状に形成された病人用または失禁患者用の男性用尿パッドに関する。
【０００２】
【従来の技術】
失禁患者などが使用する男性用尿パッドには、例えば特公昭６１−２１６６５号公報および特開平７−１２４１９０号に開示されているように、男性のペニスおよび陰嚢の双方を収納できるようにしたもの、または実開昭６３−１６０８１５号公報に開示されているように、男性のペニスのみを包みこむようにしたものがある。
【０００３】
【発明が解決しようとする課題】
ペニスおよび陰嚢の双方を収納するものでは、袋状または容器状のパッドの開口部がペニスと陰嚢の双方の基部を包むことになるために装着感が悪く、また寝たきり病人の場合には、前記開口部からの尿が洩れやすくなる。また従来のペニスのみを包み込むタイプでは、ペニスを単に挿入する形状であるため、ペニスの基部とパッドの開口部との密着性が悪く、やはり尿の洩れが発生しやすいものとなる。
【０００４】
また袋状のパッドの開口部の全周にゴムなどの弾性体を入れ、ペニスが袋体の中に挿入された状態で、前記開口部の全周でペニスの基部を弾性的に締め付ける構造も考えられる。しかし、この構造では、袋体の開口部がペニスの太さに合わせて自由に収縮変形できなくてはならないため、開口部周辺にて吸収体を薄いものにしなければならず、尿の吸収機能が低下する。また、個人により異なるペニスの太さに対応させることができず、締め付けが弛すぎたりまたは強すぎることになる。
【０００５】
本発明は、上記従来の課題を解決するものであり、ペニスに対してしっかり装着することができて尿の洩れを防止できるようにした男性用尿パッドを提供することを目的としている。
【０００６】
また本発明は、ペニスの挿入口がペニスに合わせて変形しやすい構造とし、またペニスに対して適度な締め付け力で装着できるようにした男性用尿パッドを提供することを目的としている。
【０００７】
さらに本発明は、ぺニスに挿入口が密着するように袋体を変形させたときに、吸収体に歪みや大きな皺が生じるのを防止して、尿の洩れの原因となる隙間が形成されるのを防止した男性用尿パッドを提供することを目的としている。
【０００８】
【課題を解決するための手段】
本発明は、外面シートと透液性の内面シートおよび両シート間に介在する吸収体を有する積層体の平面部どうしが対面する袋体が形成され、この袋体の上端にぺニスの挿入口が開口し、袋体の底部が閉じられており、
一方の前記平面部には、前記挿入口から底部に向けて切り込まれた切込み線が形成されて、この切込み線の両側に位置する前記積層体の一部が重ね合わせ部とされ、前記重ね合わせ部では、前記切込み線の両側および前記切込み線の底部側の終端よりもさらに底部側に、前記吸収体を除去しあるいは前記吸収体の量を部分的に少なくした薄片が設けられ、前記薄片の両側では、前記吸収体が設けられて前記薄片よりも厚く形成されており、
他方の前記平面部には、前記底部方向へ延びる薄肉部が形成されており、
両側の重ね合わせ部の吸収体を有する部分どうしを重ねて、前記挿入口の開口径を縮小させ、前記重ね合わせ部どうしを接合する掛止手段が設けられており、前記重ね合わせ部が互いに重ね合わされたときに、他方の前記平面部が前記薄肉部で曲がってぺニスを包む形状に膨らみ変形可能とされていることを特徴とするものである。
【００１０】
積層体を構成する透液性の内面シートは、不織布や多孔性樹脂シートなどで形成され、外面シートは不透液性の樹脂シート、好ましくは通気性で且つ不透液性の樹脂シートが使用される。また肌に当たる部分の外面には、前記不透液性の樹脂シートの表面に不織布などの肌にやさしい材料が取り付けられる。吸収体は、粉砕パルプ、または粉砕パルプに高吸収性ポリマーが混合されたものであり、パターン積織、カッター刃によるカッティング、またはウォータジェットなどの切断方法により所定の形状に形成される。
【００１１】
この男性用尿パッドは、袋体の開口部（挿入口）からペニスが挿入された後に、切込み線の両側部分を互いに重ね合わせるようにして、前記開口部の開口径をペニスの外周に合わせて縮小させ、開口部をペニスの基部外周に密着させる。切込み線の両側部分の重ね合わせ寸法を調節することにより開口径の縮小量を可変でき、常にペニスにフィットさせることができる。また、２枚の平面部が重ねられて袋体が形成されている場合には、切込み線が設けられない側の平面部に、袋体の深さ方向に延びる線状の薄肉部を形成しておくと、積層体がこの薄肉部にて折られるように変形しやすくなり、ペニスの外形に合わせて膨らむ形状になり、挿入口とペニスとの間に隙間が生じにくくなる。また挿入口の内面に、ペニスに対して弾性的に圧接する弾性ギャザーを設けることにより、挿入口からの尿の洩れ防止効果を高めることができる。
【００１２】
上記において、前記薄片の面積は、内側の重ね合わせ部よりも外側の重ね合わせ部の方が広くなっていることが好ましい。
【００１３】
この男性用尿パッドは、切込み線の両側部分を重ねることにより、積層体が比較的厚くても、ペニスの基部に確実に密着できるものとなる。しかも、切込み線の両側の重ね合わせ部に薄片を設けているので、切込み線の両側部分を重ねたときに、吸収体どうしの重なり部分を少なくできてペニスに装着したときのかさばりを少なくできる。特に外側となる重ね合わせ部の薄片の面積を広くしておくと、切込み線の両側の部分を重ね合わせやすくなり、また薄片を指で引くことにより、重ね合わせ状態に変形させやすくなる。
【００１４】
上記薄片は、吸収体が完全に除去されて内面シートと外面シートとが直接に接合された状態を主に意味するが、吸収体の目付け量を部分的に少なくして、内面シートと外面シートとの間に介在する吸収体を薄くし、その結果、他の部分よりも薄くなった積層体も前記薄片の概念に含まれる。
【００１５】
また、前記薄片は、切込み線の終端よりもさらに袋体の底部側に延長して形成されていることが好ましく、前記薄片の延長部分は、少なくとも外側の重ね合わせ部側に設けられる。
【００１６】
切込み線の両側部分を互いに重ねると、袋体を構成している積層体は、切込み線の終端を支点としてこの位置から挿入口方向ヘ向かって重なり寸法が大きくなるような変形を生じる。切込み線の終端部分またはその直近に吸収体が存在していると、この吸収体に歪みが与えられて袋体の表面に皺が発生しやすい。しかし切込み線の終端よりも袋体の底部方向ヘ薄片を延長させておくと、重ね合わせ部を重ねたときに、吸収体の部分に大きな皺が発生しないようになる。この皺の発生を抑えると、切込み線の終端部分でこの切込み線による隙間が形成されにくくなり、重ね合わせによる尿の洩れが発生しにくくなる。
【００１７】
また、上記薄片の延長部分は、外側の重ね合わせ部側に設けておくことが、吸収体の皺の発生を抑制する点において効果的である。
【００１８】
【発明の実施の形態】
図１は本発明の男性用尿パッドの一構成例を示す斜視図、図２は前記男性用尿パッドの使用状態を示す斜視図、図３は前記男性用尿パッドを展開して内面シート側から見た展開平面図、図４は図１のＩＶ−ＩＶ線の断面図、図５は図１のＶ−Ｖ線の断面図、図６ないし図９は、吸収体除去部の形状を構成例別に示す部分正面図である。
【００１９】
この男性用尿パッドは、平面状の積層体を折曲げることにより構成される。図４と図５の断面図に示すように、この積層体は、内面シート２と外面シート３と、両シート２、３の間に介在する吸収体１とから成る。内面シート２は、不織布や軟質の多孔性樹脂シートなどの透液性シート、外面シート３は、通気性で且つ不透液性の樹脂シートである。吸収体１は粉砕パルプまたは粉砕パルプと高吸収性ポリマーとの混合物とから成る。図３の展開平面図では、積層体内に前記吸収体１が介在している部分をハッチングを付して示している。この吸収体１はパターン積織法やカッティングなどによりハッチングで示す形状に成形され、成形後の吸収体１の両面が前記内面シート２と外面シート３とで挟まれる。
【００２０】
図３でハッチングを付していない領域（Ｃ、Ｄ１、Ｄ２、Ｅ１、Ｅ２）は、吸収体１が存在していない吸収体除去部であり、この吸収体除去部では、内面シート２と外面シート３とが、吸収体１を介在させることなく、ホットメルト型接着剤などの接着剤により接合接着されている。
図３の展開図では、中央の折曲線Ｌ−Ｌを境界として上下に平面部ＡとＢとが線対称形状に設けられており、各平面部ＡおよびＢは折曲げ線Ｌ−Ｌの部分で幅寸法が細くなる野球のホームベース型形状である。あるいは平面部が台形などの他の形状であってもよい。折曲線Ｌ−Ｌにて谷折りとされ、平面部ＡとＢとが重ねられたときに、各平面部ＡとＢの周縁部において、吸収体除去部Ｄ１と吸収体除去部Ｅ１の内面シート２、２どうしが接着され、また吸収体除去部Ｄ２と吸収体除去部Ｅ２の内面シート２、２どうしが接着されて、図１に示すような袋体１０が形成される。このときの内面シート２どうしの接着にはホットメルト型接着剤などが使用される。
【００２１】
図１に示す袋体１０では、前記折曲線Ｌ−Ｌでの折曲部分が底部１１となり、図示上端部分が開口してペニスＰの挿入口１２となる。袋体１０は、前記挿入口１２以外の部分が閉じられたものとなり、内側に内面シート２が向けられ、外側に外面シート３が向けられる。また、平面部Ｂの外面が患者の陰嚢および下腹部の肌へ直接に当たる部分となるため、平面部Ｂの外に向けられている前記外面シート３の表面に、不織布４がホットメルト型接着剤などの接着剤５によって全面的に接着されている。したがって、樹脂シートである外面シート３が直接に肌に当たることがなく、不織布４が当たるようになっているため、肌当て感触が良好となっている。
【００２２】
袋体１０を構成する平面部Ａでは、前記吸収体除去部Ｃにおいて、挿入口１２から底部１１へ向かう深さ方向ヘ切込み線Ｓが設けられている。切込み線Ｓでは、切断刃により内面シート２と外面シート３との接合部である吸収体除去部Ｃが左右に分離されるように切り込まれている。切込み線Ｓは線状に延びているものであるが、切込み線ＳがわずかにＶ字形状の切欠きとなるように形成されたものであってもよい。
【００２３】
前記切込み線Ｓは、平面部Ａにおいてやや図示左側に偏った位置に設けられている。装着時には、図２に示すように、ペニスＰが挿入口１２から袋体１０内に挿入された後に、切込み線Ｓを挟んで両側部分に位置する積層体が互いに重ね合わされて挿入口１２の開口径が縮小される。このとき切込み線Ｓよりも図示右側の部分が上側への重ね合わせ部Ｒ１で、図示左側の部分が下側への重ね合わせ部Ｒ２となる。
【００２４】
下側の重ね合わせ部Ｒ２では、外面シート３の表面に機械的掛止手段であるファスナー１３が固着され、上側の重ね合わせ部Ｒ１では内面シート２の内面にファスナー１４が固着されており、図２に示すように、重ね合わせ部Ｒ１が重ね合わせ部Ｒ２の上に重ねられるように袋体１０が変形した状態で、前記ファスナー１３と１４が互いに掛止されて、重なり状態が保持されるものとなる。
【００２５】
切込み線Ｓは吸収体除去部Ｃ内に形成されるため、上側となる重ね合わせ部Ｒ１では、切込み線Ｓの側方に吸収体１が除去された比較的広い面積の薄片Ｃ１が設けられ、下側となる重ね合わせ部Ｒ２では、切込み線Ｓの側方に比較的狭い面積の薄片Ｃ２が設けられる。前記ファスナー１３は、薄片Ｃ２から外れて吸収体１が存在する部分の表面に設けられ、前記ファスナー１４も、薄片Ｃ１から外れて吸収体１が存在する部分の裏面に設けられている。したがって、図２に示すように、重ね合わせ部Ｒ１とＲ２とを重ね合わせ、ファスナー１３と１４を接合掛止させると、吸収体１が存在している部分どうしが重ねられることになり、重ね合わせ部での尿の吸収機能が低下しないものとなっている。
ただし、重ね合わせ部では、外側の重なり部の多くの部分が吸収体１を有しない薄片Ｃ１であるため、重ね合わせ部にて前方に吸収体の重なり部が大きく突出することがなく、装着時のかさばりを防止できる。
【００２６】
また、図１と図３に示すように、吸収体除去部Ｃは、切込み線Ｓの終端Ｓ１よりもさらに底部１１側へ延長しており、この延長部分では、上側の重ね合わせ部Ｒ１側に薄片Ｃ３が、下側となる重ね合わせ部Ｒ２側に薄片Ｃ４が設けられている。また、切込み線Ｓの終端Ｓ１の部分は重ね合わせ部Ｒ２の側へわずかに屈曲して形成されている。
【００２７】
切込み線Ｓの終端Ｓ１よりも底部１１側に吸収体除去部Ｃが延長していることにより、図２に示すように重ね合わせ部Ｒ１とＲ２が重ね合わされたときに、吸収体１の重ね折りによる大きな皺が切込み線Ｓの終端Ｓ１の近傍に形成されにくくなり、この大きな皺により切込み線Ｓの部分に隙間が発生するのを防止でき、この重ね合わせ部から尿が洩れにくくなる。
【００２８】
図３に示すように、平面部Ｂでは、開口部１２の近傍から底部１１（折曲線Ｌ−Ｌ）の方向ヘ直線的に延びる３条の薄肉部２１、２２、２２が形成されており、中央の薄肉部２１が左右の薄肉部２２、２２よりも長く形成されている。図４に示すように、中央の薄肉部２１は内面側から凹状に形成され、両側の薄肉部２２、２２は外面側から凹状に形成されている。そのため、図２に示すように、挿入口１２からペニスＰを挿入して前面側となる平面部Ａにて重ね合わせ部Ｒ１とＲ２を重ね合わせたときに、後面側となる平面部Ｂでは、厚みが大きい吸収体１が前記薄肉部２１と２２の部分で曲りやすくなり、挿入口１２において平面部Ｂが図２に示すように、ペニスＰの外周に沿って凸曲面状に変形しやすくなる。
【００２９】
上記のように、吸収体１がペニスの形状に応じて膨らみ変形容易とするためには、後面側となる平面部Ｂの幅方向の中心部分に深さ方向に延びる比較的長い１本の薄肉部２１を設けることが必要であり、好ましくはその両側に同じく深さ方向に延びる薄肉部２２、２２を併設することが好ましい。
【００３０】
平面部Ｂでは、前記薄肉部２１と２２よりも底部側にハの字形状に設けられた薄肉部２３、２３が設けられている。さらに底部側には幅方向に直線状に延びる薄肉部２４と、さらにハの字形状の薄肉部２５、２５が設けられている。また平面部Ａ側においても、薄肉部２４と薄肉部２５、２５が平面部Ｂと対称な向きで設けられている。薄肉部２３、２３は、平面部ＢをペニスＰの先端形状に合わせて膨らませやすくするためのものであり、薄肉部２４と２５は、尿が１箇所に集中するのを防止し、吸収体１の広い領域に向かって尿を分散させる流路を形成しやすくするためのものである。
【００３１】
図５に示すように、後面部となる平面部Ｂでは、外面シート３の外側表面に不織布４が全面的に接着されているが、開口部１２では、不織布４の折曲部４ａが内面シート２の内側へ折曲げられて接着剤５により接着され、さらに折り返されて挿入口１２の外方へ延びる帯部４ｂが設けられている。帯部４ｂの先部の折り込み部４ｃ内にゴム糸またはゴムベルトなどの弾性部材８が包み込まれている。図２に示すように、ペニスＰが包まれたときに、挿入口１２に位置している前記帯部４ｂが弾性ギャザーとしてペニスの周面に弾性的に接触し、挿入口からの尿の洩れ防止効果が高められている。
【００３２】
この男性用尿パッドを使用するときは、平面部Ｂの外面の不織布４が陰嚢や下腹部の肌に向けられる。挿入口１２からペニスＰを挿入し、重ね合わせ部Ｒ１の薄片Ｃ１を指でつかみ、この薄片Ｃ１を引っ張って、重ね合わせ部Ｒ２の外側に重ねる。この重ね合わせ量は、ペニスＰの基部への締め付けが適度になるように調節して行われる。適度な重ね合わせを行った後に、ファスナー１４をファスナー１３に掛止させる。このとき、吸収体１が、薄肉部２１と２２、２２の部分で変形しやすくなり、図２に示すように、挿入口１２の部分で平面部Ｂの吸収体１がペニスＰの形状に合うように膨らむ。また帯部４ｂが弾性ギャザーとしてペニスＰに密着する。
【００３３】
尿は、内面シート２を透過して吸収体１に吸収される。図３に示すように、吸収体１に薄肉部２４、２５が形成されているため、尿は吸収体１の広い範囲に広がって吸収されることになり、尿の吸収量が局部的に偏らず、全体として吸収許容量が多くなる。
【００３４】
この男性用尿パッドでは、袋体１０を比較的大きくして尿の吸収量を多くしても、図２に示す重ね合わせ部Ｒ１とＲ２の重ね合わせにより、挿入口１２の開口径をペニスに合わせた大きさに調節でき、全ての患者および使用者にフィットさせることができる。また挿入口１２でのペニスへの密着性を向上して、脱落防止および尿の洩れを防止できるものとなっている。
【００３５】
図６は切込み線Ｓの両側の重ね合わせ部Ｒ１とＲ２の形状を拡大して示す正面図である。重ね合わせ部Ｒ１が重ね合わせ部Ｒ２の外側に重ねられるとき、袋体１０は、切込み線Ｓの終端Ｓ１の部分を境として挿入口１２が縮小するように変形する。したがって、重ね合わせ部Ｒ１とＲ２の重なり量は、図２に示すように、切込み線Ｓの終端Ｓ１側を始点として挿入口１２に向かうにしたがって徐々に大きくなる。このような重なり具合に合せるため、図６に示すように、上側の重ね合わせ部Ｒ１の薄片Ｃ１の面積が内側となる薄片Ｃ２の面積よりも広く、しかも薄片Ｃ１と吸収体１との境界線▲１▼と切込み線Ｓとの間隔Ｗ１が、挿入口１２に向かうにしたがって徐々に広がる形状となっている。また、下側となる薄片Ｃ２と吸収体１との境界線▲２▼は、前記境界線▲１▼と同じ向きに延びている。
【００３６】
薄片Ｃ１とＣ２が図６に示す形状であるため、重ね合わせ部Ｒ１を重ね合わせ部Ｒ２の上に重ねたときに、境界線▲１▼と▲２▼がほぼ平行な状態となって、吸収体１どうしが切込み線Ｓの長さ方向に向けてほぼ同じ重なり寸法となる。すなわち、ファスナー１３と１４とが掛止されると、重ね合わせ部では吸収体１どうしが重なるが、このとき、境界線▲１▼と▲２▼がほぼ平行な状態で吸収体１どうしが重なるようになっている。したがって重なり部に必ず吸収体１が存在し、さらに吸収体１どうしの重なり寸法量が重なり部の全長にわたって不必要に大きくならないものとなる。また重なり部では外側に重なる部分に面積の広い薄片Ｃ１が位置することになるため、重なり部において前方へのかさばり量が少なく、装着時に前方へ膨らむ量を小さくできる。
したがって、上側の重ね合わせ部Ｒ１での吸収体除去部である薄片Ｃ１の幅寸法は、切込み線Ｓの終端Ｓ１の部分から挿入口１２へ向けて徐々に広くなる形状であることが好ましい。
【００３７】
次に、吸収体除去部Ｃは、切込み線Ｓの終端Ｓ１よりもさらに底部１１側に延長され、延長部分に薄片Ｃ３とＣ４が形成されている。そのため、重ね合わせ部Ｒ１とＲ２とを重ね合わせたときに、切込み線Ｓの終端Ｓ１の部分で吸収体１に大きな皺が生じにくくなる。すなわち、吸収体除去部Ｃが、切込み線Ｓの終端Ｓ１よりも底部１１の方向ヘ延長されていないものでは、重ね合わせ部Ｒ１とＲ２とが重ね合わされたときに、切込み線Ｓの終端Ｓ１の部分で吸収体１に急激な歪みが与えられて吸収体１に大きな皺が発生し、切込み線Ｓの部分で隙間が形成されやすくなり、この隙間から尿が洩れる心配が生じる。これに対し、本発明では、切込み線Ｓの終端Ｓ１よりも底部１１方向に延びる薄片Ｃ３とＣ４が設けられているため、終端Ｃ１の部分で重ね合わせ部Ｒ１とＲ２とが重ね合わせやすくなるのみならず、吸収体１に大きな歪みが与えられず、切込み線Ｓの部分に隙間が形成されにくくなる。
【００３８】
この袋体１０では、切込み線Ｓが平面部Ａにて図示左側に偏った位置に設けられ、装着時に重ね合わせ部Ｒ１を図示左側へ大きく引き寄せるようにして、重ね合わせ部Ｒ１とＲ２とが重ねられる。したがって、図６ないし図９に示すように、受け側である下側の重ね合わせ部Ｒ２での薄片Ｃ２と吸収体１との境界線▲３▼の延長線から重ね合わせ部Ｒ１の方向ヘ一定幅となる領域αにおいて、吸収体１に歪みが与えられやすくなる。そのため、前記領域αの部分、すなわち上側となる重ね合わせ部Ｒ１側に吸収体除去部Ｃの延長部分である薄片Ｃ３を設けることが、吸収体１の皺を防止する点で好ましく、吸収体除去部Ｃの形状を図８に示すものとすることが基本的な構造である。
【００３９】
ただし、重ね合わせ部Ｒ１とＲ２を重ねたときに、上側の重ね合わせ部Ｒ１の薄片Ｃ１の境界線▲１▼を延長した領域βにおいても吸収体１に歪みが与えられ、この部分でも皺が生じやすい。よって図６および図７に示すように、上側となる薄片Ｃ１と吸収体１との境界線▲１▼の延長線から下側の重ね合わせ部Ｒ２の方向ヘ所定幅で延びる領域βにも吸収体除去部Ｃの延長部分である薄片Ｃ４を設けることが好ましい。図６は前記領域αとβの双方に薄片Ｃ３とＣ４を形成し、両薄片Ｃ３とＣ４とが連続したものを示し、図７は、薄片Ｃ３とＣ４が独立して各々帯状に形成されたものを示している。
【００４０】
この構成例では、重ね合わせ部Ｒ１を大きく引き寄せる構造であるため、吸収体１に歪みが形成されるのを防止する点で、薄片Ｃ３の方が薄片Ｃ４よりも効果がある。よって、図８に示すように薄片Ｃ３のみを設けることにより皺発生防止を行なうことができるが、さらに皺発生防止効果を高めるためには薄片Ｃ３とＣ４の双方を設けることが好ましく、この場合に薄片Ｃ３の切込み長さａを、薄片Ｃ４の切込み長さｂよりも大きくしておくことが好ましい。
【００４１】
なお、切込み線Ｓの終端Ｓ１よりも底部１１方向ヘ延びる吸収体除去部の延長部分の形状は、図９に示すものであってもよい。図９では底部１１方向へ延びる吸収体除去部の延長部分がほぼ円形であり、この円形部分が薄片Ｃ５となっている。吸収体除去部を形成するためには吸収体をカットすることが必要になるが、この吸収体除去部を図９に示すように円形にしておくと、前記の吸収体のカット作業が容易である。ただし円形の薄片Ｃ５を形成する場合にも、円形を前記領域αとβの双方を含む位置に形成することが必要である。
【００４２】
また、吸収体除去部である薄片の形状は、領域αと領域βを含む範囲にて楕円形あるいは滴形などに形成されていてもよい。
また、挿入口１２の縁部から、吸収体除去部Ｃの終端までの長さＨ（図６参照）は、短すぎると、薄片Ｃ３またはＣ４を設けていても、重ね合わせ部Ｒ１とＲ２を重ね合わせたときに吸収体１に歪みが与えられやすくなり、Ｈが長過ぎると、袋体１０内の吸収体の絶対的な体積が小さくなり、尿の吸収効果が低下する。したがって前記Ｈは、７０ないし１５０ｍｍの範囲とすることが好ましい。
【００４３】
また、図５に示すように、後側となる平面部Ｂには、挿入口１２の部分に不織布４の一部が折られて形成された帯部４ｂにより弾性ギャザーが形成されている。この帯部４ｂは袋体１０の内部に位置する長さＦ２の部分と、挿入口１２の外部に突出する長さＦ１の部分を有している。前記長さＦ２が長すぎると、ペニスの排尿部が帯部４ｂに当たり、尿が吸収体１に吸収されず、尿が帯部４ｂに沿って流れ挿入口１２から洩れるおそれがある。また、長さＦ１の部分が長すぎると、使用前のパッケージ工程や、パッケージから出すときに帯部４ｂに不要な折り目などが形成されて、使用時に弾性ギャザーとして機能できない場合が生じる。したがって、帯部４ｂの長さ（Ｆ１＋Ｆ２）は５ｍｍ以上で４０ｍｍ以下であることが好ましく、挿入口１２からの突出長さＦ１は１０ｍｍ以下であることが好ましい。
【００４４】
【発明の効果】
以上のように本発明の男性用尿パッドは、重ね合わせ部を設けて挿入口の開口形を縮小させてペニスに装着するものであるため、ペニスに確実に装着されて離脱するおそれが少なく、また挿入口がペニスに密着できるため、挿入口からの尿の洩れが生じにくくなる。
【００４５】
また切込み線を形成した部分に吸収体の除去部を設けておくことにより、重ね合わせ部がかさばりにくくなり、さらに切込み線の終端よりも底部側に前記除去部を延長させておくことにより、重ね合わせの際に吸収体に歪みが発生しにくくなり、重ね部からの尿の洩れが発生しにくくなる。
【図面の簡単な説明】
【図１】本発明の男性用尿パッドの斜視図、
【図２】男性用尿パッドをペニスに装着した状態を示す斜視図、
【図３】男性用尿パッドを展開して内面シートを手前側にして示した展開平面図、
【図４】図１のＩＶ−ＩＶ線の断面図、
【図５】図１のＶ−Ｖ線の断面図、
【図６】吸収体の除去部の拡大正面図
【図７】吸収体の除去部の他の形状を示す拡大正面図
【図８】吸収体の除去部のさらに他の形状を示す拡大正面図
【図９】吸収体の除去部を円形としたものを示す拡大正面図
【符号の説明】
Ａ、Ｂ  平面部
Ｃ  吸収体除去部
Ｃ１〜Ｃ４  薄片
Ｒ１  外側となる重ね合わせ部
Ｒ２  内側となる重ね合わせ部
Ｓ  切込み線
Ｓ１  切込み線の終端
１  吸収体
２  内面シート
３  外面シート
４  不織布
１３、１４  ファスナー
２１、２２  膨らみやすくするための薄肉部
【図１】
0003877352.tif 000002
【図２】
0003877352.tif 000003
【図３】
0003877352.tif 000004
【図４】
0003877352.tif 000005
【図５】
0003877352.tif 000006
【図６】
0003877352.tif 000007
【図７】
0003877352.tif 000008
【図８】
0003877352.tif 000009
【図９】
0003877352.tif 000010